(57)【要約】【課題】建物内に光ファイバーケーブルを分配施工する際に、高層マンションにも対応可能であり、簡便で良好な施工性を有し経済的な光ファイバーケーブルの分配敷設方法を提供する。【解決手段】幹線から建物に引き込まれた光ファイバーケーブルを建物内に分配施工する際に、樋または排水管２の内部に光ファイバーケーブル１，１，・・を通し、好ましくは、光ファイバーケーブル１，１，・・の占有断面積が樋または排水管２の内部の断面積の５０％以下であり、樋または排水管２に分岐管が接続された合流部分において、樋または排水管２の内部に通された光ファイバーケーブルが該分岐管接続側の反対側に集められ、樋または排水管２の内部に仕切り板又は複数の光ファイバーケーブルを配設することが可能な凹凸部を有する支持体を用いるか、若しくは、光ファイバーケーブルが鞘管又は複数の鞘部が横に連結された鞘管に通され敷設される。【選択図】　図１
2004020947.tif 000002
【特許請求の範囲】
【請求項１】
幹線から建物に引き込まれた光ファイバーケーブルを建物内に分配施工する際に、樋または排水管内部に光ファイバーケーブルを通すことを特徴とする光ファイバーケーブルの分配敷設方法。
【請求項２】
樋または排水管内部に通された光ファイバーケーブルの占有断面積が樋または排水管内部の断面積の５０％以下であることを特徴とする請求項１記載の光ファイバーケーブルの分配敷設方法。
【請求項３】
樋または排水管に分岐管が接続された合流部分において、樋または排水管内部に通された光ファイバーケーブルが、該分岐管接続側の反対側に集められていることを特徴とする請求項１又は２記載の光ファイバーケーブルの分配敷設方法。
【請求項４】
上記樋または排水管は、内部に仕切り板を有することを特徴とする請求項１〜３の何れか１項記載の光ファイバーケーブルの分配敷設方法。
【請求項５】
光ファイバーケーブルが鞘管に通されることを特徴とする請求項１〜３の何れか１項記載の光ファイバーケーブルの分配敷設方法。
【請求項６】
光ファイバーケーブルが、複数の鞘部が横に連結された鞘管に通されることを特徴とする請求項１〜３の何れか１項記載の光ファイバーケーブルの分配敷設方法。
【請求項７】
樋または排水管内部に複数の光ファイバーケーブルを配設することが可能な凹凸部を有する支持体を用いたことを特徴とする請求項１〜３の何れか１項記載の光ファイバーケーブルの分配敷設方法。
【発明の詳細な説明】
【０００１】
【発明の属する技術分野】
本発明は光ファイバーケーブルの分配敷設方法に関し、詳しくは住宅やオフィスなどの集合する建物に引き込まれた光ファイバーケーブルを建物内の各戸や各オフィスなどに分配施工する際に好適な光ファイバーケーブルの分配敷設方法に関する。
【０００２】
【従来の技術】
従来の情報通信手段としては、電話線や無線による通信が主流であるが、情報の大容量化や高速化に対応するには情報伝送能力の面で限界が来ている。その一方、光ファイバーによる情報通信は高い伝送能力を有し、ギガビット（Ｇｂｐｓ）レベルの高速通信まで対応できることや、銅線と比べて漏話や他の機器への影響が少ないことから次世代の有力な通信手段とされている。
【０００３】
上記光ファイバーによる情報通信によれば、例えば、動画の双方向通信や遠距離間のリアルタイムコミュニケーションなどが可能となるが、このためには幹線から建物のＭＤＦ（主配線盤）などに引き込まれた光ファイバーケーブルを建物内の各部屋などに分配施工すること（ＦＴＴＨ：Ｆｉｂｅｒ　Ｔｏ　Ｔｈｅ　Ｈｏｍｅ）が必要である。
しかしながら、集合住宅やオフィスなどの建物内に分配施工する場合、現状では一般の電話線に代表される既設配管を通して各戸や各オフィスに分配施工することが試みられているが、通常、既設配管は事前に光ファイバーケーケーブルを通すことを想定してない場合が多く、引き込みの際に途中で詰まったりしてケーブルを通せないことが多い。また光ファイバーケーブルは通常折り曲げによる性能低下が問題であり、急角度で曲げると光の反射角に乱れが生じて、伝送損失が急激に大きくなるという問題がある。また、無理に引込もうとすると、光ファイバー自体の断線も問題となりやすい。
【０００４】
上記のような問題の解決策として、特開昭６０−２２４０８号公報には、反転式の筒状ライニングチューブの内面に光ファイバーケーブル等の通信ケーブルを予め保持させておいて、ガス管などの流体導管内にライニングチューブを内外面が反転されるように送入することで、通信ケーブルを流体導管と筒状ライニングチューブの間に敷設する敷設方法が提案されている。
【０００５】
【発明が解決しようとする課題】
しかしながら、特開昭６０−２２４０８号公報に開示された方法では、確かに摩擦による損傷は低減できるものの、反転ライニングチューブを流体圧によって導管内に反転させながら既設管に密着固定するために、通信ケーブルにテンションがかかり、場合によっては絡まって送入抵抗が大きくなり過ぎ断線することも想定される。また、このような方式では予め通信ケーブルをライニングチューブ内面に保持させる工程、流体を圧入する工程、密着固定する工程よりなるので、非常に手間がかかるという問題もあった。
【０００６】
更には、分岐部分はともかくとして、上記反転送入による方法においては、例えば既設配管の９０度曲がり部ではライニングチューブを通すことが極めて困難であり、一般に住宅やオフィスなどの配管は直線であることは極めて少ないので、上記方法での対応は困難であるという問題があった。また、上記反転送入による方法においては、一旦通信ケーブルを送入した後に増設する場合には対応出来ないという問題もあった。
【０００７】
本発明の目的は、上記従来の光ファイバーケーブルの分配敷設方法における問題点に鑑み、住宅やオフィスなどの建物内に光ファイバーケーブルを分配施工する際に好適な光ファイバーケーブルの分配敷設方法を提供することにあり、高層マンションにも対応可能であり、簡便で良好な施工性を有する経済的な光ファイバーケーブルの分配敷設方法を提供することにある。
【０００８】
【課題を解決するための手段】
請求項１記載の光ファイバーケーブルの分配敷設方法は、幹線から建物に引き込まれた光ファイバーケーブルを建物内に分配施工する際に、樋または排水管内部に光ファイバーケーブルを通すことを特徴とする。
請求項２記載の光ファイバーケーブルの分配敷設方法は、請求項１記載の光ファイバーケーブルの分配敷設方法であって、樋または排水管内部に通された光ファイバーケーブルの占有断面積が樋または排水管内部の断面積の５０％以下であることを特徴とする。
請求項３記載の光ファイバーケーブルの分配敷設方法は、請求項１又は２記載の光ファイバーケーブルの分配敷設方法であって、樋または排水管に分岐管が接続された合流部分において、樋または排水管内部に通された光ファイバーケーブルが、該分岐管接続側の反対側に集められていることを特徴とする。
請求項４記載の光ファイバーケーブルの分配敷設方法は、請求項１〜３の何れか１項記載の光ファイバーケーブルの分配敷設方法であって、上記樋または排水管は、内部に仕切り板を有することを特徴とする。
請求項５記載の光ファイバーケーブルの分配敷設方法は、請求項１〜３の何れか１項記載の光ファイバーケーブルの分配敷設方法であって、光ファイバーケーブルが鞘管に通されることを特徴とする。
請求項６記載の光ファイバーケーブルの分配敷設方法は、請求項１〜３の何れか１項記載の光ファイバーケーブルの分配敷設方法であって、光ファイバーケーブルが、複数の鞘部が横に連結された鞘管に通されることを特徴とする。
請求項７記載の光ファイバーケーブルの分配敷設方法は、請求項１〜３の何れか１項記載の光ファイバーケーブルの分配敷設方法であって、樋または排水管内部に複数の光ファイバーケーブルを配設することが可能な凹凸部を有する支持体を用いたことを特徴とする。
【０００９】
以下、本発明について図面を参照しつつ以下に詳細に説明する。
本発明の光ファイバーケーブルの分配敷設方法は、例えば図７に例示するように、幹線１１から５階建ての集合住宅である建物１２のＭＤＦ室１３に引き込まれた光ファイバーケーブル１が屋上で分岐され各樋または排水管２，２，・・内部に通され建物内の各戸１４，１４，・・に引き込まれ分配施工されるものである。
【００１０】
図１は本発明に係る光ファイバーケーブルの分配敷設方法の一例における樋または排水管２の内部を示す模式断面図（縦方向）である。図１においては、建物内に光ファイバーケーブルを引込むために必要とされる複数の光ファイバーケーブル１，１，・・を、例えば樋または排水管２の内部に通して下に降ろしながら、各階にて分岐継手３を介し分岐管４を通してケーブルを保護した状態で建物内の各戸や各オフィスなどに分配する敷設方法を示すものである。
【００１１】
本発明においては、上記のように多本数のファイバーをまとめて一度に引き込むことができる点で、公団住宅、アパート、マンションなどの集合住宅用の建物において特に好適である。
【００１２】
上記光ファイバーケーブル１，１，・・としては、特に限定されず、通常２芯ケーブルや多芯ケーブルが用いられる。個別の各戸毎への分岐時には通常２芯ケーブルが有利であるが、複数の戸数分をまとめて分岐する場合は、樋または排水管２の内部に対する占有面積の点から多芯ケーブルが有利であり、施工場所によって適宜最適なケーブルが選定される。
上記光ファイバーケーブルに用いられる光ファイバーの材質としては、例えば、石英系光ファイバーやプラスチック光ファイバー（ＰＯＦ）などが好適に用いられ、中でも分岐部での折り曲げ性の点でプラスチック光ファイバーが好ましい。
【００１３】
上記プラスチック光ファイバーとしては、例えば、ＧＩ型（屈折率分布型）及び多層型の断面構造を有するものが挙げられ、光ファイバーのコア及びクラッドの素材としてはフッ素系、アクリル系、ポリカーボネート系、ノルボルネン系、環状オレフィン系などのポリマーが挙げられる。中でも伝送能力の点でフッ素系のものが好ましい。
【００１４】
上記樋または排水管２としては、特に限定されず、例えば建物に配管された既設の樋または排水管が用いられる。既設の樋または排水管を用いる場合は、新規の管路などを新たに敷設する必要が無く、簡便で経済的にケーブルを敷設することができる。また、管として樋または排水管を用いるので、管内の全容積にわたって連続的に流体が流れることがなく、管路の気密性、水密性、安全性等の面についての問題もないものとなる。
【００１５】
本発明においては、各階に必要な本数のケーブルを分岐する場合、例えば、樋または排水管２の側面にホールソーなどによりに穴を開け、必要なケーブルを引き込めばよいが、図１に示すように分岐継手３を用いることもできる。分岐継手３としては、例えば、二つ割りの分岐継手が挙げられ、樋または排水管２の側面にホールソーなどによりに穴を開け、上記二つ割り分岐継手を装着し、必要なケーブルを引き込んで敷設する方法などが好適である。
上記分岐管４としては、特に限定されないが、例えば、蛇腹状の波形電線管などが可撓性に優れる点で好適である。
【００１６】
上記のようにして、例えば建物のベランダなどに引き込まれたケーブルを住宅やオフィスの内部に配設する手段としては特に限定されず、従来公知の方法を用いることができ、例えば、エアコンのダクトや換気扇の隙間を通しても良いし、既設の通線穴を利用する方法を用いてもよい。
【００１７】
上記において、樋または排水管２の内部に通された光ファイバーケーブル１，１，・・の占有断面積が樋または排水管２内部の断面積の５０％以下であると、樋または排水管２の内部を流れる雨水などの流路を充分に確保し、流路の詰まりなどを防止し得る点で好ましい。ここで、光ファイバーケーブル１，１，・・の占有断面積とは、各光ファイバーケーブル１，１，・・の断面積の合計を意味し、樋または排水管内部の断面積とは、樋または排水管２自体の内側の全断面積（横方向）を意味する。
【００１８】
また、上記樋または排水管２に、例えばベランダからの排水用等の分岐管が接続された合流部分においては、樋または排水管２の内部に通された光ファイバーケーブルが、該分岐管接続側の反対側に集められていることが好ましい。光ファイバーケーブルが、反対側に集められるていることによって、該分岐管接続側の排水用の流路が確保でき、詰まりなどの問題が起こりにくくなる。
上記において、分岐管接続側の反対側とは、樋または排水管２の内部における分岐管接続側の側面と反対側の側面方向を意味し、例えば、管の断面（横方向）における分岐管接続側と反対側の半円部分の側面方向に光ファイバーケーブルを粘着テープなどを用い部分結束して集める方法や治具による固定を行う方法などが採られる。
【００１９】
本発明において、光ファイバーケーブル１，１，・・を樋または排水管２に通す際には、樋または排水管２の排水性が低下したり損なわれたりすることを避けるために、例えば、図２に断面（横方向）を例示するように仕切り板５を用いてケーブルの通路を確保することも可能である。この場合、ケーブルの通路はケーブルを分岐して引き出す側に設けられることが好ましく、両側に引き出す必要がある場合は、図３に例示するように複数の仕切り板５，５を用いて両側にケーブルの通路を設けることもできる。
仕切り板５の材質としては通路を確保するための強度を満たしていれば特に限定されず、適宜の材質を選定することが出来る。
【００２０】
また、一般に、光ファイバー内部に水分が入ると、伝送媒体である光に対する反射特性が変化し伝送効率が大幅に低下することが知られているが、上記においては、樋または排水管２における最上部のケーブルの通路部分に雨水などの浸入を防止しうる蓋をすることにより、光ファイバー内部に水分が入ることを防止することができるので、長期的な劣化を防止することが可能である。
【００２１】
本発明においては、図４に断面（横方向）を例示するように、鞘管６を用いてその鞘管６の内部に光ファイバーケーブル１，１，・・を通し、樋または排水管２を通して引き込まれたものであってもよい。この場合、光ファイバーケーブル１，１，・・を通す順序としては特に限定されず、例えば、あらかじめ樋または排水管２に鞘管６を通しておき、その後光ファイバーケーブル１，１，・・を通してもよいし、予め鞘管６に光ファイバーケーブル１，１，・・を通したものを樋または排水管２に通してもよい。また、図示はしないが、光ファイバーケーブルそれぞれを鞘管に通してもよい。
【００２２】
ケーブルを鞘管６に通すことによって、ケーブル自体を雨水などからより確実に防護できる。
上記鞘管６としては、特に限定されないが、施工性の面からプラスチック製が好ましく、例えば、塩ビ管やポリエチレン管などが好適である。
【００２３】
上記において、鞘管６に通した光ファイバーケーブル１，１，・・を分岐する際には、鞘管６の必要な部分に穴を開けることで、例えば、分岐継手等を介して必要とするケーブルを敷設することができる。
【００２４】
本発明においては、図５に断面（横方向）を例示するように、複数の鞘部が横に連結された鞘管７を用いてその個々の鞘部内部に光ファイバーケーブル１，１，・・を通し、樋あるいは排水管２を通して引き込まれたものであってもよい。この場合、光ファイバーケーブル１，１，・・を通す順序としては特に限定されず、例えば、あらかじめ樋または排水管２に鞘管７を通しておき、その後光ファイバーケーブル１，１，・・を通してもよいし、予め鞘管７の鞘部に光ファイバーケーブル１，１，・・を通したものを樋または排水管２に通してもよい。
【００２５】
上記において、鞘管７に通した光ファイバーケーブル１，１，・・を分岐する際には、必要とするケーブルが通された鞘部の連結部を引き裂くなどの方法で切断分離し、分岐継手などを介して、ケーブルを分離された鞘部とともに敷設することが可能である。
【００２６】
上記のように、複数の鞘部が横に連結された鞘管７を用いると、光ファイバケーブル１，１，・・が絡まることなく敷設することができ、分岐の際には簡便にケーブルを取り出すことができるので、作業性の点で好適である。
【００２７】
上記鞘管７の材質としては、特に限定されないが、施工性の面からプラスチック製が好ましく、中でも連結部の引き裂き性の点でＬＤＰＥ（低密度ポリエチレン）、軟質塩化ビニル樹脂若しくは軟質ウレタン樹脂などが好ましい。また、上記鞘管７の断面形状は特に限定されず、円形状の断面を有する鞘部が横に連結されたものであってもよいし、多角形状の断面を有する鞘部が横に連結されたものであってもよい。
【００２８】
本発明においては、図６に断面（横方向）を例示するように、樋または排水管２の内部に複数の光ファイバーケーブルを配設することが可能な凹凸部を有する支持体８を用い、樋または排水管２を通して引き込まれたものであってもよい。この場合、光ファイバーケーブル１，１，・・を通す順序としては特に限定されず、例えば、あらかじめ樋または排水管２に支持体８を通しておき、その後光ファイバーケーブル１，１，・・を支持体８に配設しつつ通してもよいし、予め凹凸部を有する支持体８に光ファイバーケーブル１，１，・・を配設したものを樋または排水管２に通してもよい。また、予め凹凸部を有する支持体８に光ファイバーケーブル１，１，・・をある程度配設し、樋または排水管２に前記支持体８を送り込みながら更に支持体８の凹凸部にケーブルを順次配設しつつ通してもよい。
【００２９】
上記において、ケーブルを分岐する際には、支持体８の凹凸部から光ファイバーケーブル１，１，・・を必要な本数だけ外し、分岐継手などを介して敷設することができる。
上記支持体８の材質としては、特に限定されないが、樋または排水管２を通す際にファイバーの位置決めをし易い点で弾性率の高いものが好適である。
【００３０】
（作用）
本発明の光ファイバーケーブルの分配敷設方法は、一般の電話線に代表されるように曲がり部が多く狭い配管内を通すのではなく、建物に敷設された樋または排水管を通して敷設するので、光ファイバーケーブルを通すことが困難となることもなく、簡便で良好な施工性を有する敷設方法を提供することができる。
【００３１】
通常、光ファイバーの曲げ半径はプラスチック光ファイバーの場合で３０Ｒ（曲げ半径）が限界であるが、限界付近の曲がりを有する既設屋内配管などを通す場合は、ケーブルを無理に通すと内部で断線するなど光ファイバーがダメージを受け伝送能力を損なうことがある。
【００３２】
本発明の光ファイバーケーブルの分配敷設方法では、例えば分岐継手などを介して敷設する際に、分岐部から一旦ケーブルを引き出して曲げ半径を目視で確認しながら建物内に敷設することが出来るので、光ファイバーがダメージを受けることなくケーブルを敷設することができる。
【００３３】
また、ケーブルを通す際に、仕切り板や支持体を用いたり鞘管に通したりすることで、樋や排水管本来の排水性を損なうことなく効率的にケーブルを建物に敷設することができる。
【００３４】
【実施例】
以下に実施例および比較例を示すことにより、本発明を更に具体的に説明する。
尚、本発明は下記実施例のみに限定されるものではない。
（実施例１）
１０階建てのマンションの屋上からφ７５の既設縦樋の中に１０本の２芯のフッ素系光ファイバーケーブル（旭硝子社製、商品名「ルキナ」）を垂らした。次に１０階の分配施工部の縦樋側面にホールソーでφ５０ｍｍの穴をあけ、光ファイバーケーブルを手繰り寄せつつ引き出した。
次に、ホールソーで穴をあけた縦樋側面部にφ７５の二つ割りの分岐継手をセットして、継手の分岐部より上記光ファイバーケーブルを通して、更に波形電線管（積水化学社製、商品名「エスロフレキＰＦ」）を通して１０階のベランダに光ファイバーケーブルを分配した。
上記の作業を９階、８階という順に１階まで行った後、最後に屋上の縦樋の最上部に目皿をセットして作業を完了した。
【００３５】
（比較例１）
１０階建てのマンションに、実施例１で用いたものと同様の光ファイバーケーブル１０本を露出配線で１階まで引き込んだ後、共用のパイプシャフトを通して各階に分配施工しようとしたが、パイプシャフトの途中で詰まり敷設することができなかった。
【００３６】
【発明の効果】
本発明の光ファイバーケーブルの分配敷設方法は、建物内に光ファイバーケーブルを分配施工する際に、樋または排水管内部に光ファイバーケーブルを通すことを特徴とするので、従来のような曲がり部の多い既設配管を通す場合と異なり、ケーブルの曲げ半径が限界を超えてダメージを受けることなくスムーズにケーブルを敷設することができる。
【００３７】
従来、住宅やオフィスなどの建物に、いわゆるＦＴＴＨを達成するためには、戸建住宅の場合はともかく、公団住宅、アパート、マンションなどの集合住宅用の建物に好適に複数の光ファイバーケーブルを敷設することが大きな課題であったが、本発明の光ファイバーケーブルの分配敷設方法によれば、高層マンションにもにも対応可能であり、簡便で良好な施工性を有する経済的な光ファイバーケーブルの分配敷設方法を提供することが可能となる。
【００３８】
上記において、樋または排水管内部に通された光ファイバーケーブルの占有断面積が樋または排水管内部の断面積の５０％以下である場合、樋または排水管に分岐管が接続された合流部分において、樋または排水管内部に通された光ファイバーケーブルが該分岐管接続側の反対側に集められている場合、樋または排水管内部に仕切り板又は複数の光ファイバーケーブルを配設することが可能な凹凸部を有する支持体を用いた場合、若しくは、光ファイバーケーブルが鞘管又は複数の鞘部が横に連結された鞘管に通される場合には、上記効果は更に確実なものとなる。
【図面の簡単な説明】
【図１】本発明に係る光ファイバーケーブルの分配敷設方法の一例を示す模式断面図である。
【図２】本発明に係る光ファイバーケーブルの分配敷設方法について他の例を示す模式断面図である。
【図３】本発明に係る光ファイバーケーブルの分配敷設方法について更に他の例を示す模式断面図である。
【図４】本発明に係る光ファイバーケーブルの分配敷設方法について更に他の例を示す模式断面図である。
【図５】本発明に係る光ファイバーケーブルの分配敷設方法について更に他の例を示す模式断面図である。
【図６】本発明に係る光ファイバーケーブルの分配敷設方法について更に他の例を示す模式断面図である。
【図７】本発明に係る光ファイバーケーブルの分配敷設方法の一例を説明する模式斜視図である。
【符号の説明】
１　光ファイバーケーブル
２　樋または排水管
３　分岐継手
４　分岐管
５　仕切り板
６　鞘管
７（複数の鞘部が横に連結された）鞘管
８　支持体
１１　幹線
１２　建物
１３　ＭＤＦ
１４　各戸
【図１】
2004020947.tif 000003
【図２】
2004020947.tif 000004
【図３】
2004020947.tif 000005
【図４】
2004020947.tif 000006
【図５】
2004020947.tif 000007
【図６】
2004020947.tif 000008
【図７】
2004020947.tif 000009